【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
複数のモジュールの電力モードを制御するためのハードウェアモジュールの方法であって、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を備え、
前記複数のモジュールが、較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む、方法。
【請求項２】
前記モジュールを前記有効にすることが、前記モジュールをオンにすることを備え、前記モジュールを前記無効にすることが、前記モジュールをオフにすることを備える、請求項１に記載の方法。
【請求項３】
前記モジュールを前記有効にすることが、前記モジュールの状態を低電力待機状態から高電力動作状態に変更することを備え、前記モジュールを前記無効にすることが、前記モジュールの状態を高電力動作状態から低電力待機状態に変更することを備える、請求項１に記載の方法。
【請求項４】
前記トラフィックが約１０ｎｓ〜２０ｎｓの間停止される、請求項１に記載の方法。
【請求項５】
モジュールの前記第２のセットが定常状態に達するまで前記時間期間の間待つことをさらに備える、請求項１に記載の方法。
【請求項６】
前記ハードウェアモジュールとモジュールの前記第１および第２のセットとがダブルデータレート（ＤＤＲ）物理（ＰＨＹ）ハードウェアモジュール内にある、請求項１に記載の方法。
【請求項７】
前記複数のモジュールがダブルデータレート（ＤＤＲ）ダイナミックランダムアクセスメモリ（ＤＲＡＭ）に関連する、請求項１に記載の方法。
【請求項８】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項１に記載の方法。
【請求項９】
前記第２のＣＤＣが、前記第１のＣＤＣよりも高い電力モードをサポートする、請求項８に記載の方法。
【請求項１０】
前記第２のＣＤＣが、前記第１のＣＤＣよりも低い電力モードをサポートする、請求項８に記載の方法。
【請求項１１】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項１に記載の方法。
【請求項１２】
前記第２の入力受信機が、前記第１の入力受信機よりも高い電力モードをサポートする、請求項１１に記載の方法。
【請求項１３】
前記第２の入力受信機が、前記第１の入力受信機よりも低い電力モードをサポートする、請求項１１に記載の方法。
【請求項１４】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項１に記載の方法。
【請求項１５】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項１６】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項１７】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項１に記載の方法。
【請求項１８】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項１に記載の方法。
【請求項１９】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２０】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２１】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項１に記載の方法。
【請求項２２】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項１に記載の方法。
【請求項２３】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２４】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項１に記載の方法。
【請求項２５】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項１に記載の方法。
【請求項２６】
前記モジュールが特定のシーケンスで有効にされる、請求項１に記載の方法。
【請求項２７】
複数のモジュールの電力モードを制御するためのハードウェアモジュール装置であって、
較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む複数のモジュールと、
所望の動作周波数の指示を受信するための手段と、
前記所望の動作周波数の前記受信された指示に基づいて第１の電力モードから第２の電力モードに切り替わることを決定するための手段、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にするための手段と、
前記第１の電力モードに関連しないモジュールの前記第２のセット中の前記モジュールを有効にした後、ある時間期間の満了時に前記複数のモジュールを通るトラフィックを停止するための手段と、
モジュールの前記第２のセットを介してトラフィックをルーティングするための手段と、
前記第２の電力モードに関連しないモジュールの前記第１のセット中のモジュールを無効にするための手段と、
を備える、装置。
【請求項２８】
前記モジュールを有効にするための前記手段が、前記モジュールをオンにするように構成され、前記モジュールを無効にするための前記手段が、前記モジュールをオフにするように構成された、請求項２７に記載の装置。
【請求項２９】
前記モジュールを有効にするための前記手段が、前記モジュールの状態を低電力待機状態から高電力動作状態に変更するように構成され、前記モジュールを無効にするための前記手段が、前記モジュールの状態を高電力動作状態から低電力待機状態に変更するように構成された、請求項２７に記載の装置。
【請求項３０】
前記トラフィックが約１０ｎｓ〜２０ｎｓの間停止される、請求項２７に記載の装置。
【請求項３１】
モジュールの前記第２のセットが定常状態に達するまで前記時間期間の間待つための手段をさらに備える、請求項２７に記載の装置。
【請求項３２】
前記ハードウェアモジュールとモジュールの前記第１および第２のセットとがダブルデータレート（ＤＤＲ）物理（ＰＨＹ）ハードウェアモジュール内にある、請求項２７に記載の装置。
【請求項３３】
前記複数のモジュールがダブルデータレート（ＤＤＲ）ダイナミックランダムアクセスメモリ（ＤＲＡＭ）に関連する、請求項２７に記載の装置。
【請求項３４】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項２７に記載の装置。
【請求項３５】
前記第２のＣＤＣが、前記第１のＣＤＣよりも高い電力モードをサポートする、請求項３４に記載の装置。
【請求項３６】
前記第２のＣＤＣが、前記第１のＣＤＣよりも低い電力モードをサポートする、請求項３４に記載の装置。
【請求項３７】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項２７に記載の装置。
【請求項３８】
前記第２の入力受信機が、前記第１の入力受信機よりも高い電力モードをサポートする、請求項３７に記載の装置。
【請求項３９】
前記第２の入力受信機が、前記第１の入力受信機よりも低い電力モードをサポートする、請求項３７に記載の装置。
【請求項４０】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項２７に記載の装置。
【請求項４１】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４２】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４３】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項２７に記載の装置。
【請求項４４】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項２７に記載の装置。
【請求項４５】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４６】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項４７】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項２７に記載の装置。
【請求項４８】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項２７に記載の装置。
【請求項４９】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項５０】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項２７に記載の装置。
【請求項５１】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項２７に記載の装置。
【請求項５２】
前記モジュールが特定のシーケンスで有効にされる、請求項２７に記載の装置。
【請求項５３】
複数のモジュールの電力モードを制御するための集積回路ハードウェアモジュール装置であって、
較正遅延回路（ＣＤＣ）、入力受信機、低ドロップアウト（ＬＤＯ）調節器、電流電圧変換器、位相ロックループ（ＰＬＬ）、バイアス電流生成器、または基準電圧生成器のうちの少なくとも１つを含む複数のモジュールと、
周波数電力マネージャと
を備え、前記周波数電力マネージャが、
所望の動作周波数の指示を受信することと、
前記所望の動作周波数の前記受信された指示に基づいて第１の電力モードから第２の電力モードに切り替わることを決定すること、前記第１の電力モードが前記複数のモジュールのうちのモジュールの第１のセットに関連し、前記第２の電力モードが前記複数のモジュールのうちのモジュールの第２のセットに関連し、前記第２の電力モードが前記所望の動作周波数に対応する、と、
前記第１の電力モードに関連しないモジュールの前記第２のセット中のモジュールを有効にすることと、
前記第１の電力モードに関連しないモジュールの前記第２のセット中の前記モジュールを有効にした後、ある時間期間の満了時に前記複数のモジュールを通るトラフィックを停止することと、
モジュールの前記第２のセットを介してトラフィックをルーティングすることと、
前記第２の電力モードに関連しないモジュールの前記第１のセット中のモジュールを無効にすることと、
を行うように構成された、装置。
【請求項５４】
前記周波数電力マネージャが、前記モジュールをオンにすることによって前記モジュールを有効にし、前記モジュールをオフにすることによって前記モジュールを無効にするように構成された、請求項５３に記載の装置。
【請求項５５】
前記周波数電力マネージャが、前記モジュールの状態を低電力待機状態から高電力動作状態に変更することによって前記モジュールを有効にし、前記モジュールの状態を高電力動作状態から低電力待機状態に変更することによって前記モジュールを無効にするように構成された、請求項５３に記載の装置。
【請求項５６】
前記トラフィックが約１０ｎｓ〜２０ｎｓの間停止される、請求項５３に記載の装置。
【請求項５７】
前記周波数電力マネージャが、モジュールの前記第２のセットが定常状態に達するまで前記時間期間の間待つように構成された、請求項５３に記載の装置。
【請求項５８】
前記ハードウェアモジュールとモジュールの前記第１および第２のセットとがダブルデータレート（ＤＤＲ）物理（ＰＨＹ）ハードウェアモジュール内にある、請求項５３に記載の装置。
【請求項５９】
前記複数のモジュールがダブルデータレート（ＤＤＲ）ダイナミックランダムアクセスメモリ（ＤＲＡＭ）に関連する、請求項５３に記載の装置。
【請求項６０】
前記複数のモジュールが、第１のＣＤＣと、前記第１のＣＤＣと並列な第２のＣＤＣとを備え、モジュールの前記第１のセットが前記第１のＣＤＣを備え、モジュールの前記第２のセットが前記第２のＣＤＣを備え、ここにおいて、前記第１の電力モードに関連しないモジュールの前記第２のセット中で有効にされる前記モジュールが、前記第２のＣＤＣを備え、前記第２の電力モードに関連しないモジュールの前記第１のセット中で無効にされる前記モジュールが、前記第１のＣＤＣを備える、請求項５３に記載の装置。
【請求項６１】
前記第２のＣＤＣが、前記第１のＣＤＣよりも高い電力モードをサポートする、請求項６０に記載の装置。
【請求項６２】
前記第２のＣＤＣが、前記第１のＣＤＣよりも低い電力モードをサポートする、請求項６０に記載の装置。
【請求項６３】
前記複数のモジュールが、第１の入力受信機と、前記第１の入力受信機と並列な第２の入力受信機とを備え、モジュールの前記第１のセットが前記第１の入力受信機を備え、モジュールの前記第２のセットが前記第２の入力受信機を備え、ここにおいて、前記第１の電力モードに関連しないモジュールの前記第２のセット中で有効にされる前記モジュールが、前記第２の入力受信機を備え、前記第２の電力モードに関連しないモジュールの前記第１のセット中で無効にされる前記モジュールが、前記第１の入力受信機を備える、請求項５３に記載の装置。
【請求項６４】
前記第２の入力受信機が、前記第１の入力受信機よりも高い電力モードをサポートする、請求項６３に記載の装置。
【請求項６５】
前記第２の入力受信機が、前記第１の入力受信機よりも低い電力モードをサポートする、請求項６３に記載の装置。
【請求項６６】
前記第１の電力モードが超低電力モードを備え、前記第２の電力モードが低電力モードを備え、モジュールの前記第１のセットが、低電力ＣＤＣと、低電力入力受信機とを備え、モジュールの前記第２のセットが、前記低電力ＣＤＣと、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記低電力入力受信機を備える、請求項５３に記載の装置。
【請求項６７】
前記第１の電力モードが超低電力モードを備え、前記第２の電力モードが中間性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項６８】
前記第１の電力モードが超低電力モードを備え、前記第２の電力モードが高性能モードを備え、モジュールの前記第１のセットが、低電力ＣＤＣと、低電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項６９】
前記第１の電力モードが低電力モードを備え、前記第２の電力モードが超低電力モードを備え、モジュールの前記第１のセットが、低電力ＣＤＣと、中間電力入力受信機とを備え、モジュールの前記第２のセットが、前記低電力ＣＤＣと、低電力入力受信機とを備え、ここにおいて、前記第１の電力モードに関連しないモジュールの前記第２のセット中で有効にされる前記モジュールが、前記低電力入力受信機を備え、前記第２の電力モードに関連しないモジュールの前記第１のセット中で無効にされる前記モジュールが、前記中間電力入力受信機を備える、請求項５３に記載の装置。
【請求項７０】
前記第１の電力モードが低電力モードを備え、前記第２の電力モードが中間性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記バイアス電流生成器と、前記中間電力入力受信機とを備え、ここにおいて、前記第１の電力モードに関連しないモジュールの前記第２のセット中で有効にされる前記モジュールが、前記高電力ＣＤＣと、前記電流電圧変換器と、前記ＰＬＬと、前記バイアス電流生成器とを備え、前記第２の電力モードに関連しないモジュールの前記第１のセット中で無効にされる前記モジュールが、前記低電力ＣＤＣを備える、請求項５３に記載の装置。
【請求項７１】
前記第１の電力モードが低電力モードを備え、前記第２の電力モードが高性能モードを備え、モジュールの前記第１のセットが、低電力ＣＤＣと、中間電力入力受信機とを備え、モジュールの前記第２のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７２】
前記第１の電力モードが中間性能モードを備え、前記第２の電力モードが超低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７３】
前記第１の電力モードが中間性能モードを備え、前記第２の電力モードが低電力モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、低電力ＣＤＣと、前記中間電力入力受信機とを備え、ここにおいて、前記第１の電力モードに関連しないモジュールの前記第２のセット中で有効にされる前記モジュールが、前記低電力ＣＤＣを備え、前記第２の電力モードに関連しないモジュールの前記第１のセット中で無効にされる前記モジュールが、前記高電力ＣＤＣと、前記電流電圧変換器と、前記ＰＬＬと、前記バイアス電流生成器とを備える、請求項５３に記載の装置。
【請求項７４】
前記第１の電力モードが中間性能モードを備え、前記第２の電力モードが高性能モードを備え、モジュールの前記第１のセットが、高電力ＣＤＣと、前記電流電圧変換器と、前記ＰＬＬと、前記バイアス電流生成器と、中間電力入力受信機とを備え、モジュールの前記第２のセットが、前記高電力ＣＤＣと、前記電流電圧変換器と、前記ＰＬＬと、前記ＬＤＯ調節器と、前記バイアス電流生成器と、前記基準電圧生成器と、高電力入力受信機とを備え、ここにおいて、前記第１の電力モードに関連しないモジュールの前記第２のセット中で有効にされる前記モジュールが、前記ＬＤＯ調節器と、前記基準電圧生成器と、前記高電力入力受信機とを備え、前記第２の電力モードに関連しないモジュールの前記第１のセット中で無効にされる前記モジュールが、前記中間電力入力受信機を備える、請求項５３に記載の装置。
【請求項７５】
前記第１の電力モードが高性能モードを備え、前記第２の電力モードが超低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、低電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７６】
前記第１の電力モードが高性能モードを備え、前記第２の電力モードが低電力モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、低電力ＣＤＣと、中間電力入力受信機とを備え、ここにおいて、前記第１の電力モードに関連しないモジュールの前記第２のセット中で有効にされる前記モジュールが、モジュールの前記第２のセットを備え、前記第２の電力モードに関連しないモジュールの前記第１のセット中で無効にされる前記モジュールが、モジュールの前記第１のセットを備える、請求項５３に記載の装置。
【請求項７７】
前記第１の電力モードが高性能モードを備え、前記第２の電力モードが中間性能モードを備え、モジュールの前記第１のセットが、高電力ＣＤＣと、前記電流電圧変換器と、前記ＰＬＬと、前記ＬＤＯ調節器と、前記バイアス電流生成器と、前記基準電圧生成器と、高電力入力受信機とを備え、モジュールの前記第２のセットが、前記高電力ＣＤＣと、前記電流電圧変換器と、前記ＰＬＬと、前記バイアス電流生成器と、中間電力入力受信機とを備え、ここにおいて、前記第１の電力モードに関連しないモジュールの前記第２のセット中で有効にされる前記モジュールが、前記中間電力入力受信機を備え、前記第２の電力モードに関連しないモジュールの前記第１のセット中で無効にされる前記モジュールが、前記ＬＤＯ調節器と、前記基準電圧生成器と、前記高電力入力受信機とを備える、請求項５３に記載の装置。
【請求項７８】
前記モジュールが特定のシーケンスで有効にされる、請求項５３に記載の装置。
【請求項７９】
前記周波数電力マネージャが１つまたは複数の有限状態機械（ＦＳＭ）を備える、請求項５３に記載の装置。